(57)【要約】【課題】昇降機の運行効率を向上させる。【解決手段】実施形態のＢＩＭシステムは、制御部と記憶部とを少なくとも備える。前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部は、入力される作成条件に対応する前記ＢＩＭパーツを、前記パーツ情報記憶手段に記憶された前記パーツ情報を用いて作成する昇降機モデリング手段と、入力される、昇降機の運行させるためのパラメータに基づいて、前記昇降機を運行するための運行プログラムを生成する生成手段と、生成された前記運行プログラムを、前記ＢＩＭパーツを用いて、シミュレーションを行うシミュレーション手段と、前記シミュレーションを行った結果を出力する出力手段と、前記運行プログラムを、前記昇降機に適用するプログラムとして更新する更新手段と、を備える。【選択図】図１
2017215692.tif 000002
【特許請求の範囲】
【請求項１】
制御部と記憶部とを少なくとも備えたＢＩＭシステムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部は、
入力される作成条件に対応する前記ＢＩＭパーツを、前記パーツ情報記憶手段に記憶された前記パーツ情報を用いて作成する昇降機モデリング手段と、
入力される、昇降機の運行させるためのパラメータに基づいて、前記昇降機を運行するための運行プログラムを生成する生成手段と、
生成された前記運行プログラムを、前記ＢＩＭパーツを用いて、シミュレーションを行うシミュレーション手段と、
前記シミュレーションを行った結果を出力する出力手段と、
前記運行プログラムを、前記昇降機に適用するプログラムとして更新する更新手段と、
を備える、ＢＩＭシステム。
【請求項２】
前記昇降機は、当該昇降機の運行状況を検出する運行センサーを備え、
前記記憶部は、
前記運行センサーが検出した前記昇降機の運行状況を記憶する運行情報記憶手段を、さらに備え、
前記制御部は、
前記シミュレーション手段が、さらに、前記運行情報記憶手段に記憶された前記運行状況を用いて、シミュレーションを行う、
請求項１に記載のＢＩＭシステム。
【請求項３】
前記制御部は、
前記シミュレーション手段がシミュレーションを行った結果を出力した後、前記シミュレーションを行った前記運行プログラムの承認を受け付ける受付手段と、を備え、
前記更新手段は、承認を受け付けた前記運行プログラムを、前記昇降機に適用するプログラムとして更新する、
請求項２に記載のＢＩＭシステム。
【請求項４】
前記記憶部は、
前記生成手段に生成された複数の運行プログラムを記憶するプログラム記憶手段をさらに備え、
前記制御部は、
前記プログラム記憶手段に記憶された前記複数の運行プログラムから、選択を受け付ける受付手段と、を備え、
前記更新手段は、前記受付手段により選択を受け付けた前記運行プログラムを、前記昇降機に適用するプログラムとして更新する、
請求項１乃至３のいずれか１項に記載のＢＩＭシステム。
【請求項５】
前記記憶部は、
前記生成手段に生成された複数の運行プログラムを記憶するプログラム記憶手段と、
前記昇降機の運行プログラムを更新する時間を記憶する更新時間記憶手段と、をさらに備え、
前記更新手段は、前記更新時間記憶手段に記憶された前記更新する時間に従って、前記プログラム記憶手段に記憶された複数の運行プログラムから選択した運行プログラムを、前記昇降機に適用するプログラムとして更新する、
請求項１乃至４のいずれか１項に記載のＢＩＭシステム。
【請求項６】
前記記憶部は、
在館人数の情報を記憶する在館人数記憶手段を、さらに備え、
前記制御部は、
前記シミュレーション手段が、さらに、前記在館人数記憶手段に記憶された前記在館人数の情報を用いて、シミュレーションを行う、
請求項１乃至５のいずれか１項に記載のＢＩＭシステム。
【請求項７】
制御部と記憶部とを少なくとも備えたＢＩＭシステムにおいて実行される方法であって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部に、
入力される作成条件に対応する前記ＢＩＭパーツを、前記パーツ情報記憶手段に記憶された前記パーツ情報を用いて作成する昇降機モデリングステップと、
入力される、昇降機の運行させるためのパラメータに基づいて、前記昇降機を運行するための運行プログラムを生成する生成ステップと、
生成された前記運行プログラムを、前記ＢＩＭパーツを用いて、シミュレーションを行うシミュレーションステップと、
前記シミュレーションを行った結果を出力する出力ステップと、
前記運行プログラムを、前記昇降機に適用するプログラムとして更新する更新ステップと、
を備える、方法。
【請求項８】
制御部と記憶部とを少なくとも備えるＢＩＭシステムに実行させるためのプログラムであって、
前記記憶部は、
建築物のＢＩＭモデルを記憶するＢＩＭモデル記憶手段と、
前記ＢＩＭモデルに組込可能な昇降機のＢＩＭパーツを作成するためのパーツ情報を記憶するパーツ情報記憶手段と、
を備え、
前記制御部に、
入力される作成条件に対応する前記ＢＩＭパーツを、前記パーツ情報記憶手段に記憶された前記パーツ情報を用いて作成する昇降機モデリングステップと、
入力される、昇降機の運行させるためのパラメータに基づいて、前記昇降機を運行するための運行プログラムを生成する生成ステップと、
生成された前記運行プログラムを、前記ＢＩＭパーツを用いて、シミュレーションを行うシミュレーションステップと、
前記シミュレーションを行った結果を出力する出力ステップと、
前記運行プログラムを、前記昇降機に適用するプログラムとして更新する更新ステップと、
を実行させるためのプログラム。
【発明の詳細な説明】
【技術分野】
【０００１】
本発明の実施形態は、ＢＩＭシステム、方法、及びプログラムに関する。
【背景技術】
【０００２】
近年、ＢＩＭ（ビルディング・インフォメーション・モデリング）を利用することで、建築に関する作業やデータ管理の合理化や効率化が図られている。また、ＢＩＭを利用すれば、建築物や複数の設備装置（昇降機設備、電源設備、空調設備、給排水衛生設備など）に関して、３次元の設計図データを一元管理できる。
【０００３】
さらには、ＢＩＭの利用を設計段階だけではなく、建築物の保守やメンテナンス等で利用する技術が提案されている。
【先行技術文献】
【特許文献】
【０００４】
【特許文献１】特許第５６４５３２１号
【発明の概要】
【発明が解決しようとする課題】
【０００５】
ところで、従来、建物の改修計画や建物で行われるイベントがある場合に、昇降機の利用環境に応じて、当該昇降機の運行プログラムを更新するのが望ましい。しかしながら、運行プログラムの更新した場合に運行状況を把握するのが難しいため、運行プログラムの更新が行われることは少なかった。
【０００６】
本実施形態が解決しようとする課題は、利用状況に応じて、運行プログラムを適切に更新することができるＢＩＭシステム、方法、及びプログラムを提供することである。
【課題を解決するための手段】
【０００７】
実施形態のＢＩＭシステムは、制御部と記憶部とを少なくとも備える。前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部は、入力される作成条件に対応する前記ＢＩＭパーツを、前記パーツ情報記憶手段に記憶された前記パーツ情報を用いて作成する昇降機モデリング手段と、入力される、昇降機の運行させるためのパラメータに基づいて、前記昇降機を運行するための運行プログラムを生成する生成手段と、生成された前記運行プログラムを、前記ＢＩＭパーツを用いて、シミュレーションを行うシミュレーション手段と、前記シミュレーションを行った結果を出力する出力手段と、前記運行プログラムを、前記昇降機に適用するプログラムとして更新する更新手段と、を備える。
【図面の簡単な説明】
【０００８】
【図１】図１は、第１の実施形態におけるＢＩＭシステムの構成の一例を示すブロック図である。
【図２】図２は、昇降機のＢＩＭパーツの一例を示す図である。
【図３】図３は、昇降機のＢＩＭパーツを建築物のＢＩＭモデルに組み込んだ状態の昇降機組込建築物に対応する統合ＢＩＭモデルの一例を示す図である。
【図４】図４は、第１の実施形態におけるエレベータの運行に関する項目のうち、ユーザが定義可能なユーザ定義パラメータの一例を示した図である。
【図５】図５は、第１の実施形態における仮想ＥＬシミュレーション部によるシミュレーション結果としてエレベータの運行状況の再現例を示した図である。
【図６】図６は、第１の実施形態における仮想ＥＬシミュレーション部によるシミュレーション結果として、負荷状態の遷移例を示した図である。
【図７】図７は、図４に示される運行に関する項目について、ユーザが変更した後のユーザ定義パラメータの一例を示した図である。
【図８】図８は、第１の実施形態における運行プログラムの複数登録可能な画面例を示した図である。
【図９】図９は、第１の実施形態における運行プログラムの実行する日程の登録画面例を示した図である。
【図１０】図１０は、第１の実施形態における運行プログラム更新システムにおける更新処理の手順を示すフローチャートである。
【発明を実施するための形態】
【０００９】
以下に、実施形態にかかるＢＩＭシステム、方法、及びプログラムの実施の形態を図面に基づいて詳細に説明する。なお、この実施形態により本発明が限定されるものではない。
【００１０】
ＢＩＭによる設計方法では、各業者にて建物全体のデータである建築物の３次元モデル（すなわち、建築物のＢＩＭモデル）を共有することができる。このため、各業者は、共通のデータ上でそれらの関連性および整合性の確認ができる。以下の実施形態では、このＢＩＭを使用した昇降機の運行プログラム更新システムについて説明する。
【００１１】
［第１の実施形態］
第１の実施形態（ＢＩＭシステム）について、以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１２】
［ＢＩＭシステムの構成］
まず、第１の実施形態におけるＢＩＭシステムの構成の一例について、図１を参照して以下に説明する。図１は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。  
【００１３】
図１に示すように、第１の実施形態のＢＩＭシステムは、概略的に、昇降機の３次元モデル（すなわち、昇降機のＢＩＭパーツ）等の情報を提供できる中央制御サーバ装置２００、単数または複数の昇降機管理ツール等を搭載した端末装置１００、及びエレベータ制御装置３００を通信可能に接続して構成される。ここで、図１に示すように、通信には、一例として、ネットワーク３５０を介した有線・無線通信等の遠隔通信等を含む。また、これらＢＩＭシステムの各部は任意の通信路を介して通信可能に接続されている。
【００１４】
図１に示すように、第１の実施形態のＢＩＭシステムにおいて、中央制御サーバ装置２００は、概略的に、制御部２０２と記憶部２０６とを少なくとも備えている。端末装置１００は、出力部１１４と入力部１１６と制御部１０２と記憶部１０６とを少なくとも備える。
【００１５】
［エレベータ制御装置３００の構成］
本実施形態のＢＩＭシステムは、エレベータ２（かご３を含む）を制御するためのエレベータ制御装置３００を備える。エレベータ制御装置３００は、エレベータ２の運行状況を検出する運行センサー３０１と、エレベータ２を運行制御するための運行プログラムを格納する運行プログラム記憶部３０２と、運行プログラム記憶部３０２に記憶された運行プログラムを読み出して、実行することで、エレベータ２の運行を制御する運転制御部３０３と、中央制御サーバ装置２００と情報を送受信する通信制御インターフェース部３０４と、を備える。
【００１６】
運行センサー３０１は、エレベータ２に設けられたセンサーであって、エレベータ２の運行状況を検出する。なお、エレベータ２は、建物１５０に格納されたものとする。
【００１７】
本実施形態のエレベータ制御装置３００は、通信制御インターフェース部３０４から受信した運行プログラムを、運行プログラム記憶部３０２に記憶する。運行プログラムとは、エレベータ２の運行を制御するためのプログラムとする。
【００１８】
運転制御部３０３は、運行プログラムを読み出して、エレベータ２の運行制御を行う。
【００１９】
本実施形態においては、運行プログラム記憶部３０２に格納される運行プログラムを更新することで、エレベータ２の運行制御を切り替えることができる。
【００２０】
従来、昇降機の運行プログラムを更新する際には、メーカに依頼する必要があった。依頼されたメーカは、現地に行き、運行プログラムの更新作業を行っていた。このため、建物の利用環境に合わせて、昇降機の運行プログラムを変更することはできなかった。
【００２１】
そこで、本実施形態のＢＩＭシステム（運行プログラム更新システム）は、昇降機の運行プログラムを、フレキシブルに更新することを実現する。
【００２２】
さらに、運行プログラムを更新する際に、当該運行プログラムを適用した場合のシミュレーション結果を考慮することで、状況に応じた運行プログラムの更新を可能とする。
【００２３】
本実施形態では、ＢＩＭシステムで運行プログラムの更新を行うことで、建物の統合管理を実現する。
【００２４】
例えば、建物の改修や、建物内のテナントの入れ替え等が発生した際に、建物のレイアウトの変更や、動線計画の変更が生じる。このような場合に、エレベータの交通計画も合わせて行いたい。このような場合に、レイアウトの変更や動線計画に変更に適した運行プログラムの更新は難しかった。
【００２５】
これに対して、本実施形態においては、シミュレーション結果に応じて、エレベータ制御装置３００の運行プログラムの更新を行うこととした。これにより、建物の改修や、建物内のテナントの入れ替え等が発生した場合に、運行状況に応じた適切な運行プログラムの更新を実現できる。さらには、更新に関するユーザの負担を軽減できる。
【００２６】
本実施形態では、ユーザは、建物運用会社に所属する保守管理者等が考えられるが、ユーザを制限するものではない。
【００２７】
［中央制御サーバ装置２００の構成］
ここで、図１において、中央制御サーバ装置２００は、端末装置１００から送信される作成条件に対応する建築物のＢＩＭモデルに組込可能な昇降機のＢＩＭパーツを、記憶部２０６に記憶されたパーツ情報を用いて作成する機能を有する。そして、中央制御サーバ装置２００は、作成されたＢＩＭパーツを端末装置１００へ送信する等の機能を有する。中央制御サーバ装置２００は、第１の通信制御インターフェース部２０４を介してネットワーク３５０を経由し、端末装置１００と相互に通信可能に接続されており、制御部２０２と記憶部２０６とを備える。制御部２０２は、各種処理を行う制御手段である。
【００２８】
第１の通信制御インターフェース部２０４は、通信回線や電話回線等に接続されるアンテナやルータ等の通信装置（図示せず）に接続されるインターフェースであり、中央制御サーバ装置２００とネットワーク３５０との間における通信制御を行う機能を有する。すなわち、第１の通信制御インターフェース部２０４は、端末装置１００等と通信回線を介してデータを通信する機能を有している。
【００２９】
第２の通信制御インターフェース部２０８は、通信回線や電話回線等に接続されるアンテナやルータ等の通信装置（図示せず）に接続されるインターフェースであり、中央制御サーバ装置２００とエレベータ制御装置３００との間における通信制御を行う機能を有する。すなわち、第２の通信制御インターフェース部２０８は、エレベータ制御装置３００等と通信回線を介してデータを通信する機能を有している。
【００３０】
記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００３１】
これら記憶部２０６の各構成要素のうち、パーツ情報記憶手段としてのパーツ情報データベース２０６ａは、建築物のＢＩＭモデルに組込可能な昇降機のＢＩＭパーツを作成するためのパーツ情報を記憶する。本実施形態において、昇降機は、エレベータ及び乗客コンベアを含む概念であり、乗客コンベアは、エスカレータ及び動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備、各種配線配管に関する情報などのうちの少なくとも１つを含む。さらに、パーツ情報としては、例えば、昇降機を構成する必要部材の部材強度、価格、寸法、質量、色、素材、材料、固有振動数といった情報の他、納期、在庫状況、据付時間、仕上げ材、耐用年数、メーカ情報、品番型番などのうちの少なくとも１つを含んでもよい。なお、パーツ情報は、上記に限定されない。
【００３２】
より具体的には、本実施形態において、パーツ情報は、例えば、制御部１０２によりＢＩＭパーツをＢＩＭモデルに組み込む際等に参照されるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータ２である場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、制御部１０２によりＢＩＭパーツを変更する際に用いられる設定パラメータを含む。ここで、設定パラメータは、ＢＩＭパーツを構成する各ユニットのサイズ、色、材質、上記各種配線配管等を規定するパラメータを含む。また、パーツ情報は、予め利用者により指定された点検対象物であることを示す情報も含む。これにより、後述の制御部１０２は、パーツ情報からどの部材が点検対象物であるかを特定することができる。これらのパーツ情報は、例えば、制御部１０２の処理により点検対象物を点検する作業者の動線を生成する際、各種点検条件を算出する際、動線に関する注意点を示す注意情報を抽出する際、動線を最適化する際等に参照される。なお、ＢＩＭパーツは、典型的なＢＩＭモデルと同様に、このＢＩＭパーツ自体に対象の昇降機に関連するパーツ情報等の属性情報を含んでいる。
【００３３】
ＥＬ運行情報データベース２０６ｂは、第２の通信制御インターフェース部２０８を介して、エレベータ制御装置３００から受信した、運行センサー３０１が検出したエレベータ２の運行状況を記憶するデータベースとする。運行状況は、例えば、エレベータ２の起動回数等が含まれている。本実施形態では、運行状況から、各フロアでどの程度の人の滞留が存在したのか把握できる。つまり、ＥＬ運行情報データベース２０６ｂに記憶された運行状況をシミュレーションで用いることで、各フロアの人の滞留を推測できる。
【００３４】
ユーザ定義パラメータ記憶部２０６ｃは、第１の通信制御インターフェース部２０４を介して、端末装置１００から受信した、運行プログラムを生成するために必要なものとして、ユーザが定義したパラメータ（以下、ユーザ定義パラメータ）を記憶するデータベースとする。
【００３５】
ユーザ定義パラメータは、エレベータ２に関して、ユーザが変更を許可されたデータであって、例えば、不停止階や、稼働時間、各フロアの在館人数（利用人数）、運転間隔等が含まれている。
【００３６】
運行プログラム管理部２０６ｄは、後述する運行プログラム生成部２０２ｄで生成された運行プログラムを管理する。また、運行プログラム管理部２０６ｄは、運行状況に合わせて運行プログラムを更新するために、運行プログラムを複数記憶しても良い。
【００３７】
イベントスケジュール管理部２０６ｅは、第１の通信制御インターフェース部２０４を介して、端末装置１００から受信した、建物１５０で行われるイベントを含んだスケジュール情報を記憶するデータベースとする。
【００３８】
保守点検管理情報データベース２０６ｆは、エレベータ２の保守点検管理に関する情報を記憶するデータベースとする。
【００３９】
更新時間管理データベース２０６ｇは、エレベータ制御装置３００が制御に用いる運行プログラムを更新する時間を管理するデータベースとする。本実施形態においては、更新時間管理データベース２０６ｇが、運行プログラムを更新する時間を管理することで、日程に応じた運行プログラムの更新を実現できる。
【００４０】
また、制御部２０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、情報通信部２０２ｃ、運行プログラム生成部２０２ｄ、仮想ＥＬシミュレーション部２０２ｅ、及び、運行プログラム更新部２０２ｆ、を備える。
【００４１】
このうち、作成条件受信部２０２ａは、端末装置１００から送信される作成条件を受信する作成条件受信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、例えば、昇降機を設置する建築物の概要、設置位置等、後述するＢＩＭモデルデータベース１０６ａに格納されている建築物のＢＩＭモデルの構造情報を含んでもよい。また、作成条件は、利用者により端末装置１００において入力部１１６を介して入力されたものであってもよいし、予め作成条件が記憶された外部記憶装置（図示せず）から読み込まれたものであってもよい。  
【００４２】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図２に示すようなエレベータの３次元のＢＩＭパーツを作成する。ここで、図２は、昇降機のＢＩＭパーツの一例を示す図である。図２の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。昇降機モデリング部２０２ｂは、利用者が後述のレイアウト画面で確認しながら選択可能なように、作成条件を満たす複数の昇降機のＢＩＭパーツを作成してもよい。昇降機モデリング部２０２ｂは、例えば、作成条件受信部２０２ａにより受信された作成条件に基づいた後述のＢＩＭモデルの構造情報等に基づいて、建築物の概要、規模、設置位置、電源設備容量等から当該建築物に設置可能な昇降機のＢＩＭパーツを単数あるいは複数作成する。また、昇降機モデリング部２０２ｂは、作成条件受信部２０２ａにより受信された作成条件に基づいた納期、価格、あるいは、嗜好性に応じてＢＩＭパーツを自動的に最適化して作成するようにしてもよい。例えば、昇降機モデリング部２０２ｂは、利用者によって昇降機の設置に際し納期優先の選択がなされている場合には、設置可能な昇降機のＢＩＭパーツのうち納期が早いものから順に自動で複数作成するようにしてもよい。同様に、昇降機モデリング部２０２ｂは、利用者によって価格優先の選択がなされている場合には、設置可能な複数の昇降機のＢＩＭパーツのうち価格が安いものから順に自動で複数作成するようにしてもよい。昇降機モデリング部２０２ｂは、利用者によって利用者の嗜好性が設定されている場合には、設置可能な複数の昇降機のＢＩＭパーツのうち嗜好性にあったものから順に自動で複数作成するようにしてもよい。昇降機モデリング部２０２ｂは、作成した昇降機のＢＩＭパーツを記憶部２０６に格納して、ＢＩＭパーツデータベース（図示せず）を構築してもよい。  
【００４３】
また、情報通信部２０２ｃは、第１の通信制御インターフェース部２０４を介して、端末装置１００との間で情報の送受信を行う出力信手段である。例えば、情報通信部２０２ｃは、昇降機モデリング部２０２ｂにより作成された昇降機のＢＩＭパーツを端末装置１００へ送信する。また、情報通信部２０２ｃは、複数のＢＩＭパーツを含む計算結果を端末装置１００へ送信してもよい。
【００４４】
さらに、情報通信部２０２ｃは、端末装置１００から、建物１５０で行われるイベントなどのスケジュール情報や、運行プログラムを生成するためのユーザ定義パラメータを受信する。
【００４５】
図４は、本実施形態のエレベータの運行に関する項目のうち、ユーザが定義可能なユーザ定義パラメータの一例を示した図である。図４に示される例では、ユーザ定義パラメータとして、第１のエレベータ、第２のエレベータ、及び第３のエレベータについて、稼働時間、停止階、各フロアの利用人数を設定可能とする。なお、本実施形態は、ユーザ定義パラメータの一例を示したもので、運行プログラムを生成するためにユーザが定義可能なパラメータを制限するものではない。
【００４６】
さらに、本実施形態においては、ユーザ定義パラメータとして、各フロアの滞留を調整するためのパラメータが含まれている。これにより、シミュレーション結果に応じて、当該ユーザ定義パラメータを調整することで、各フロアの滞留を調整できる。
【００４７】
そして、情報通信部２０２ｃが受信したイベントに関する情報は、イベントスケジュール管理部２０６ｅに格納される。また、情報通信部２０２ｃが受信したユーザ定義パラメータは、ユーザ定義パラメータ記憶部２０６ｃに格納される。
【００４８】
運行プログラム生成部２０２ｄは、ユーザ定義パラメータ記憶部２０６ｃに記憶されたユーザ定義パラメータに基づいて、エレベータ２の運行を制御するための運行プログラムを生成する。
【００４９】
仮想ＥＬシミュレーション部２０２ｅは、運行プログラム生成部２０２ｄにより生成された運行プログラムでエレベータ２が運行された状況をシミュレートする。本実施形態の仮想ＥＬシミュレーション部２０２ｅは、パーツ情報データベース２０６ａに記憶されたエレベータ２の詳細な属性と、ＥＬ運行情報データベース２０６ｂに格納された、今までの運行状況と、を考慮して、運行プログラムが実行された場合の運行状況を示したシミュレーション情報を生成する。さらに、本実施形態は、情報通信部２０２ｃが、端末装置１００から、建物１５０に関する統合ＢＩＭモデルのうち、シミュレーションに必要な建物情報（例えば統合ＢＩＭモデルの一部）を受信し、仮想ＥＬシミュレーション部２０２ｅは、受信した建物情報を、さらに考慮して、運行プログラムのシミュレーションを行っても良い。
【００５０】
本実施形態の仮想ＥＬシミュレーション部２０２ｅは、パーツ情報データベース２０６ａに記憶された、エレベータ２を構成するＢＩＭパーツ、及びＢＩＭパーツに付与されている詳細な属性を用いてシミュレーションを行うこととした。これにより、エレベータ２の運行に関して、精度の高いシミュレーションを行うことができる。
【００５１】
さらには、情報通信部２０２ｃは、端末装置１００から、建物１５０の在館人員の遷移を示す人員情報を受信し、仮想ＥＬシミュレーション部２０２ｅは、受信した人員情報を考慮して、運行プログラムのシミュレーションを行っても良い。
【００５２】
図５は、本実施形態の仮想ＥＬシミュレーション部２０２ｅによるシミュレーション結果としてエレベータ２の運行状況の再現例を示した図である。図５に示される例では、ユーザ定義パラメータに従って生成された運行プログラムで制御された場合に、ＥＬ運行情報データベース２０６ｂに記憶された運行情報による、各フロアの人の滞留を再現している。本実施形態においては、当該運行状況を再現した情報を、端末装置１００に送信する。図５に示される例では、１０〜１５時間の間の人の滞留の遷移と、エレベータ２の動きと、の変化がアニメーションとして表示される。
【００５３】
図６は、本実施形態の仮想ＥＬシミュレーション部２０２ｅによるシミュレーション結果として、負荷状態の遷移例を示した図である。図６に示される例では、時間の遷移と共に、エレベータ２に搭乗している人数の増減の遷移を示している。図６に示される例では、負荷を判断するための基準線Ｎが示されている。これにより、ユーザは、人数が適切か否かを判断できる。
【００５４】
本実施形態は、シミュレーション結果の一例を示したものであって、図５や図６に示される例に制限するものではなく、他の態様でシミュレーション結果を表しても良い。本実施形態では、シミュレーション結果を示すことで、生成された運行プログラムが適切か否かを判断できる。
【００５５】
また、仮想ＥＬシミュレーション部２０２ｅは、端末装置１００から受信した様々な情報を考慮して、エレベータ２の運行状況を再現、シミュレーションしても良い。例えば、情報通信部２０２ｃが、端末装置１００から、在館人員データベース１０６ｄに格納されている在館人数の情報を受信した場合に、仮想ＥＬシミュレーション部２０２ｅは、在館人数の情報をさらに考慮して、運行プログラムのシミュレーションを行っても良い。さらには、仮想ＥＬシミュレーション部２０２ｅは、気象データベース１０６ｂに記憶された気象情報や、イベントスケジュール管理データベース１０６ｅに記憶されたイベントに関する情報等を考慮して、運行プログラムのシミュレーションを行っても良い。
【００５６】
図１に戻り、情報通信部２０２ｃは、生成されたシミュレーション情報（シミュレーションを行った結果）を、端末装置１００に送信（出力）する。これにより、端末装置１００を利用するユーザは、シミュレーション結果を考慮して、生成された運行プログラムを適用するか否かを判断できる。
【００５７】
運行プログラム更新部２０２ｆは、生成された運行プログラムを、エレベータ制御装置３００に対して更新するための処理を行う。本実施形態の運行プログラム更新部２０２ｆは、第２の通信制御インターフェース部２０８を介して、エレベータ制御装置３００に対して、運行プログラムの送信と、当該運行プログラムへの更新要求を送信する。これにより、運行プログラムは、エレベータ２に適用されるプログラムとして更新される。
【００５８】
本実施形態の運行プログラム更新部２０２ｆは、情報通信部２０２ｃが、端末装置１００から、シミュレーションした運行プログラムが承認された旨の通知を受信した場合に、当該運行プログラムを、運行プログラム管理部２０６ｄに登録する。さらには、情報通信部２０２ｃが、端末装置１００から運行プログラムを更新する日程を受信した場合に、当該日程を更新時間管理データベース２０６ｇに登録する。
【００５９】
そして、本実施形態の運行プログラム更新部２０２ｆは、更新時間管理データベース２０６ｇに記憶された日程（スケジュール）に従って、運行プログラム管理部２０６ｄに記憶された複数の運行プログラムから選択された運行プログラムを、エレベータ２に適用するプログラムとして更新する。
【００６０】
さらに、運行プログラム更新部２０２ｆは、イベントが行われる場合に、イベントスケジュール管理部２０６ｅに記憶されたイベント情報から、過去に類似したイベントの情報を検索し、当該過去のイベントの時に適用された運行プログラムを特定し、イベントが行われる日程で、特定された運行プログラムに更新してもよい。
【００６１】
また、運行プログラム更新部２０２ｆは、運行プログラムの更新を行う際に、情報通信部２０２ｃを介して、エレベータ２のメーカに対して、承認要求を出力しても良い。そして、運行プログラム更新部２０２ｆは、メーカから承認要求を受け付けた場合に、運行プログラムを更新する。
【００６２】
［端末装置１００の構成］
端末装置１００は、図３に示すように、中央制御サーバ装置２００から送信された昇降機のＢＩＭパーツを、記憶部１０６に記憶された建築物（本実施形態においては建物１５０）のＢＩＭモデルに組み込んだ状態の昇降機組込建築物に対応する統合ＢＩＭモデルを作成する機能を有する。図３は、昇降機のＢＩＭパーツを建築物のＢＩＭモデルに組み込んだ状態の昇降機組込建築物に対応する統合ＢＩＭモデルの一例を示す図である。図３では、昇降機組込建築物の完成時におけるエレベータの設置状態を示す統合ＢＩＭモデルの一部が示されている。また、端末装置１００は、建物１５０の管理や、改修設計を行うために利用される端末とする。
【００６３】
端末装置１００は、例えば、一般に市販されるデスクトップ型またはノート型のパーソナルコンピュータ等の情報処理装置、携帯電話、スマートフォン、ＰＨＳ、及びＰＤＡ等の携帯端末装置等である。ここで、端末装置１００は、インターネットブラウザ等を搭載していてもよく、ＢＩＭアプリケーション等を搭載していてもよい。また、端末装置１００は、出力部１１４を備えていてもよい。また、端末装置１００は、データ入力等を行う入力部１１６を備えていてもよい。
【００６４】
出力部１１４は、アプリケーション等の表示画面を表示する表示手段（例えば、液晶または有機ＥＬ等から構成されるディスプレイ、モニタ、及び、タッチパネル等）であってもよい。さらに、出力部１１４は、音声情報を音声として出力する音声出力手段（例えば、スピーカ等）であってもよい。
【００６５】
入力部１１６は、例えば、キー入力部、タッチパネル、コントロールパッド（例えば、タッチパッド、及び、ゲームパッド等）、マウス、キーボード、及び、マイク等であってもよい。
【００６６】
そして、端末装置１００は、入出力制御インターフェース部１０８を備え、建物１５０を管理するために設けられた端末としても利用可能とする。本実施形態の入出力制御インターフェース部１０８は、入力部１１６から、情報の入力処理を行う。さらに、本実施形態の入出力制御インターフェース部１０８は、ユーザインターフェース等を含む出力部１１４に対して、情報の出力処理を行う。
【００６７】
また、入出力制御インターフェース部１０８は、さらに、建物１５０に設けられた建物センサー１５１から建物１５０内の検出結果や、人員センサー１５２から人員の検出結果を、入力処理する。本実施形態の端末装置１００は、入力された検出結果を用いて、建物１５０を管理する。
【００６８】
また、端末装置１００は、通信制御インターフェース部１０４を介してネットワーク３５０を経由し、中央制御サーバ装置２００と相互に通信可能に接続されており、制御部１０２と記憶部１０６とを備える。制御部１０２は、各種処理を行う制御手段である。
【００６９】
通信制御インターフェース部１０４は、通信回線や電話回線等に接続されるアンテナやルータ等の通信装置（図示せず）に接続されるインターフェースであり、端末装置１００と中央制御サーバ装置２００とネットワーク３５０との間における通信制御を行う機能を有する。すなわち、通信制御インターフェース部１０４は、中央制御サーバ装置２００等と通信回線を介してデータを通信する機能を有している。
【００７０】
また、記憶部１０６は、ＨＤＤやＳＳＤ等の大容量のストレージ手段、及び／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段である。記憶部１０６は、各種のデータベースやファイルやテーブル、ＢＩＭモデルデータベース１０６ａ、気象データベース１０６ｂ、建物管理データベース１０６ｃ、在館人員データベース１０６ｄ、イベントスケジュール管理データベース１０６ｅ、セキュリティデータベース１０６ｆ等を格納してもよい。ここで、記憶部１０６は、各種のファイル等を一時的に記憶するものであってもよい。
【００７１】
ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ここで、ＢＩＭモデルには、例えば、建物形状、空間関係、地理情報、建物部材の数量や特性、部材強度、固有振動数、耐用年数、各種付属設備、各種配線配管等の情報のうちの少なくとも１つを含む構造情報が含まれるが、これに限定されない。この他、構造情報は、建物用途、建物規模、階床数、階床名、階高、各階の使用用途、フロア人員、占有面積等から算出可能な昇降機の利用人数などの情報を含んでいてもよい。更に、構造情報は、対象の建築物を構成する各構造ユニットに関する寸法、位置等を示す情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁、安全対策品等が挙げられる。また、構造情報は、予め利用者により指定された点検対象物であることを示す情報も含む。これにより、制御部１０２は、構造情報からどの部材が点検対象物であるかを特定することができる。これらの構造情報は、例えば、制御部１０２の処理により点検対象物を点検する作業者の動線を生成する際、各種点検条件を算出する際、動線に関する注意点を示す注意情報を抽出する際、動線を最適化する際等に参照される。  
【００７２】
気象データベース１０６ｂは、（図示しない）気象サーバから配信される、建物１５０周辺の気象情報を格納する気象情報記憶手段とする。例えば、気象データベース１０６ｂは、過去のイベントを行ったときの気象情報と、次のイベントを行う日時の予想気象情報と、を記憶する。
【００７３】
建物管理データベース１０６ｃは、建物１５０の情報を管理するデータベースであって、建物センサー１５１の検出結果を記憶する建物情報記憶手段とする。
【００７４】
在館人員データベース１０６ｄは、建物１５０の情報を管理するデータベースであって、建物センサー１５１の検出結果を記憶する在館人数記憶手段とする。
【００７５】
イベントスケジュール管理データベース１０６ｅは、建物１５０で行われるイベントを含め、当該建物１５０のスケジュールを管理するスケジュール情報記憶手段とする。
【００７６】
セキュリティデータベース１０６ｆは、保守管理番号を管理するセキュリティ情報記憶手段とする。本実施形態のセキュリティデータベース１０６ｆは、必要に応じて、保守管理番号と、パスワード等を対応付けて記憶する。
【００７７】
また、制御部１０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部１０２は、これらのプログラム等により、種々の処理を実行するための情報処理を行う。制御部１０２は、機能概念的に、作成条件送信部１０２ａ、統合モデリング部１０２ｂ、昇降機管理ツール１０２ｃを備える。
【００７８】
このうち、作成条件送信部１０２ａは、利用者により入力される作成条件を中央制御サーバ装置２００へ送信する作成条件送信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件は、利用者により入力部１１６を介して入力されたものであってもよいし、予め作成条件が記憶された外部記憶装置（図示せず）から読み込まれたものであってもよい。
【００７９】
また、統合モデリング部１０２ｂは、中央制御サーバ装置２００から送信された昇降機のＢＩＭパーツを、ＢＩＭモデルデータベース１０６ａに記憶された建築物のＢＩＭモデルに組み込んだ状態の昇降機組込建築物に対応する統合ＢＩＭモデルを作成する統合モデリング手段である。
【００８０】
昇降機管理ツール１０２ｃは、ＩＤ認証部１０２ｃａと、表示制御部１０２ｃｂと、設定受付部１０２ｃｃと、情報通信部１０２ｃｄと、を備え、エレベータ２などの昇降機を運行制御するための運行プログラムを更新するために設けられたプログラムとする。
【００８１】
ＩＤ認証部１０２ｃａは、セキュリティデータベース１０６ｆを参照して、ユーザが入力部１１６から入力された保守管理番号とパスワードとを用いて認証を行う。適切な認証が行われた場合に、昇降機管理ツール１０２ｃから、中央制御サーバ装置２００にアクセスすることができる。
【００８２】
これにより、端末装置１００は、保守管理者から、ＢＩＭモデルの改修設計の入力を受け付けることができる。また、端末装置１００は、ＢＩＭモデルの改修設計の入力を受け付けることに制限するものではなく、運行プログラムの生成や、運行プログラムを更新する日程の登録を受け付けても良い。
【００８３】
表示制御部１０２ｃｂは、中央制御サーバ装置２００から提供される情報に基づいて、昇降機の運行プログラムを管理するための画面を、出力部１１４に出力することで、表示制御を行う。例えば、表示制御部１０２ｃｂは、図４で示される各項目が入力可能な画面の表示制御を行う。
【００８４】
設定受付部１０２ｃｃは、入力部１１６から、各項目について設定の入力を受け付ける。
【００８５】
情報通信部１０２ｃｄは、通信制御インターフェース部１０４を介して、中央制御サーバ装置２００との間で情報の送受信を行う情報通信手段である。例えば、情報通信部１０２ｃｄは、設定受付部１０２ｃｃが入力を受け付けた設定を、ユーザ定義パラメータとして、中央制御サーバ装置２００に送信する。
【００８６】
さらに、情報通信部１０２ｃｄは、建物１５０で行われるイベントなどのスケジュールに関する情報を、中央制御サーバ装置２００に送信する。
【００８７】
図７は、図４に示される運行に関する項目について、ユーザが変更した後のユーザ定義パラメータの一例を示した図である。図７に示される例では、設定受付部１０２ｃｃは、図４で示される例と比べて、第３のエレベータの稼働を停止させ、イベントのために停止階を１、８、９、１０階に変更させ、各フロアの利用人数もイベントに従って調整させた、設定を受け付けた例とする。この場合、情報通信部１０２ｃｄが、受け付けた設定に従ったユーザ定義パラメータを、中央制御サーバ装置２００に送信する。
【００８８】
これにより、中央制御サーバ装置２００は、受信したユーザ定義パラメータに従って、運行プログラムを生成できる。さらに、中央制御サーバ装置２００は、生成した運行プログラムを用いて、シミュレーションを行うことができる。そして、端末装置１００の情報通信部１０２ｃｄは、中央制御サーバ装置２００から、シミュレーション結果を受信する。
【００８９】
そして、表示制御部１０２ｃｂは、受信したシミュレーション結果を表示する制御を行う。これにより端末装置１００は、図５や図６に示される画面を表示できる。
【００９０】
これにより、建物１５０の保守管理者は、当該画面を確認し、シミュレーション結果に基づいて、運行プログラムを、エレベータ２の運行制御のために承認するか否かを判断することができる。
【００９１】
本実施形態の設定受付部１０２ｃｃは、仮想ＥＬシミュレーション部２０２ｅが行ったシミュレーション結果を表示した後、当該シミュレーションを行った運行プログラムの承認を受け付ける。これにより、承認を受け付けた場合に、情報通信部１０２ｃｄが、承認した旨を、中央制御サーバ装置２００に送信する。これにより、当該運行プログラムが、運行プログラム管理部２０６ｄに格納される。さらに、建物１５０の保守管理者は、エレベータ２を運行制御するプログラムとして、運行プログラムを複数登録してもよい。
【００９２】
図８は、運行プログラムの複数登録可能な画面例を示した図である。図８に示される画面例では、保守管理者は、エレベータ２の号機毎の運行プログラムを、運行パターンとして登録可能とする。図８の画面に運行パターンが登録された場合に、情報通信部１０２ｃｄが、運行パターンに対応する運行プログラムの登録要求を、中央制御サーバ装置２００に送信する。これにより、当該運行プログラムは、運行プログラム管理部２０６ｄに登録される。図８に示される例では下向き三角ボタンの押下により、運行パターン、換言すれば運行プログラムの登録を受け付ける。さらに、下向き三角ボタンボタンの押下の後に、運行プログラムを適用する日程の登録を受け付けても良い。
【００９３】
このように、表示制御部１０２ｃｂは、登録可能な複数の運行プログラムを表示画面に出力できる。さらに、設定受付部１０２ｃｃは、複数の運行プログラムから選択の受け付けや、運行プログラムを更新するタイミングの設定を受け付けることができる。
【００９４】
図９は、運行プログラムの実行する日程の登録画面例を示した図である。図９に示される画面例では、図８で登録された運行パターンのうち、エレベータ２の各号機に対して、日程毎に、運行パターンの登録を受け付ける。図８の画面に日程毎の運行パターンが登録された場合に、情報通信部１０２ｃｄが、日程毎に、運行パターンに対応する運行プログラムの登録要求を、中央制御サーバ装置２００に送信する。これにより、当該運行プログラムの更新時間が、更新時間管理データベース２０６ｇに登録される。
【００９５】
そして、中央制御サーバ装置２００の運行プログラム更新部２０２ｆは、更新時間管理データベース２０６ｇに登録された更新時間に従って、運行プログラムの更新を、エレベータ制御装置３００に対して行う。
【００９６】
次に、本実施形態の運行プログラム更新システムにおける更新処理について説明する。図１０は、本実施形態の運行プログラム更新システムにおける上述した処理の手順を示すフローチャートである。
【００９７】
まず、端末装置１００のＩＤ認証部１０２ｃａは、保守管理番号の入力を受け付ける（ＳＡ−１）。その後、ＩＤ認証部１０２ｃａは、セキュリティデータベース１０６ｆを参照して、保守管理番号の認証を行う。認証が正常に終了した場合に、昇降機管理ツール１０２ｃは、ＢＩＭモデルの改修設定する旨の入力を受け付ける（ＳＡ−２）。これにより、表示制御部１０２ｃｂは、改修設定のための画面に遷移し、設定受付部１０２ｃｃは、ＢＩＭモデルの改修設定するための入力を受け付ける。
【００９８】
さらに、設定受付部１０２ｃｃは、ユーザ定義パラメータの入力を受け付ける（ＳＡ−３）。
【００９９】
そして、情報通信部１０２ｃｄは、ユーザ定義パラメータを、中央制御サーバ装置２００に送信する（ＳＡ−４）。
【０１００】
そして、中央制御サーバ装置２００の情報通信部２０２ｃは、端末装置１００から、ユーザ定義パラメータを受信する（ＳＡ−５）。
【０１０１】
そして、運行プログラム生成部２０２ｄは、受信したユーザ定義パラメータに基づいて、運行プログラムを生成する（ＳＡ−６）。
【０１０２】
そして、仮想ＥＬシミュレーション部２０２ｅは、生成された運行プログラムが適用された場合のシミュレーションを実行する（ＳＡ−７）。シミュレーションを行う際に、ＥＬ運行情報データベース２０６ｂに格納されている運行情報等を用いても良い。
【０１０３】
そして、情報通信部２０２ｃは、シミュレーション結果を、端末装置１００に送信する（ＳＡ−８）。
【０１０４】
端末装置１００の情報通信部１０２ｃｄは、シミュレーション結果を受信する（ＳＡ−９）。さらには、端末装置１００の制御部１０２は、受信したシミュレーション結果に基づいて、ＢＩＭモデルデータベース１０６ａに記憶されたＢＩＭモデルのうち、昇降機のモデルを動作させることで、シミュレーションを実現することができる。そして、表示制御部１０２ｃｂは、受信したシミュレーション結果や、動作させたシミュレーションを表示するための制御を行う（ＳＡ−１０）。これにより、保守管理者は、運行プログラムを利用に適しているか否かを判断できる。
【０１０５】
そして、設定受付部１０２ｃｃは、シミュレーションが行われた運行プログラムの承認を受け付けたか否かを判定する（ＳＡ−１１）。受け付けていないと判定した場合（ＳＡ−１１：Ｎｏ）、再びＳＡ−３のユーザ定義パラメータの入力の受付から処理を行う。
【０１０６】
一方、設定受付部１０２ｃｃは、シミュレーションが行われた運行プログラムの承認を受け付けたと判定した場合（ＳＡ−１１：Ｙｅｓ）、表示制御部１０２ｃｂは、運行プログラムの登録画面を表示する（ＳＡ−１２）。当該登録画面は、運行プログラムを登録するエレベータ２の号機や、当該運行プログラムを実行する日程の入力を受け付け可能な画面とする。
【０１０７】
そして、設定受付部１０２ｃｃは、日程や適用先の号機と共に、運行プログラムの更新を受け付ける（ＳＡ−１３）。
【０１０８】
情報通信部１０２ｃｄが、日程や適用先の号機と共に、運行プログラムの更新要求を中央制御サーバ装置２００に送信する（ＳＡ−１４）。
【０１０９】
そして、中央制御サーバ装置２００の情報通信部２０２ｃは、端末装置１００から、運行プログラムの更新要求を受信する（ＳＡ−１５）。
【０１１０】
そして、運行プログラム更新部２０２ｆは、更新要求を受信した場合に、生成された運行プログラムを、運行プログラム管理部２０６ｄに記憶すると共に、更新を行う日程を更新時間管理データベース２０６ｇに記憶する（ＳＡ−１６）。
【０１１１】
その後、運行プログラム更新部２０２ｆは、更新するための認証が適切に行われたか否かを判定する（ＳＡ−１７）。認証が適切に行われなかった場合（ＳＡ−１７：Ｎｏ）、再び認証が適切に行われるまで処理を繰り返す。
【０１１２】
一方、運行プログラム更新部２０２ｆは、更新するための認証が適切に行われたと判定した場合（ＳＡ−１７：Ｙｅｓ）、更新時間管理データベース２０６ｇに格納された日程に従って、エレベータ制御装置３００の運行プログラムの更新を行う（ＳＡ−１８）。
【０１１３】
次に、店舗入れ替え時について説明する。保守管理者は、昇降機管理ツール１０２ｃにログインして、中央制御サーバ装置２００にアクセスする。そして、中央制御サーバ装置２００は、記憶部２０６に記憶された各種情報（例えば、ＥＬ運行情報データベース２０６ｂに記憶された運行情報や、イベントスケジュール管理部２０６ｅに記憶されたイベント情報）を、移転先の建物を管理する中央制御サーバ装置２００に送信してもよい。
【０１１４】
これにより、移転先の建物のＢＩＭモデルを管理する中央制御サーバ装置２００は、受信した運行情報や、イベント情報に基づいて、運行プログラムに従ってエレベータを運行した場合の運行状況を再現、シミュレーションすることができる。これにより、イベント時と同様に、ユーザ定義パラメータを調整することで、移転した店舗の状況に応じたエレベータの運行管理を実現できる。
【０１１５】
また、建物に新たな店舗を入れる際に、中央制御サーバ装置２００は、当該店舗の集客数等を格納しているデータベースを管理する装置にアクセスし、当該店舗の情報を受信しても良い。これにより、仮想ＥＬシミュレーション部２０２ｅは、店舗の情報に基づいて、新たな店舗が追加された場合のエレベータ２の運行状況を再現、シミュレーションする。これにより、適切な運行プログラムを、エレベータ制御装置３００に対して適用することができる。
【０１１６】
さらに、本実施形態は、保守点検管理情報データベース２０６ｆに格納された保守点検管理情報に基づいて、運行プログラムの更新を行っても良い。
【０１１７】
まず、保守員は、建物で行った点検内容や点検日を示した点検情報を、端末装置１００から、中央制御サーバ装置２００に送信する。これにより、中央制御サーバ装置２００は、受信した点検情報を、保守点検管理情報データベース２０６ｆに記憶する。
【０１１８】
そして、仮想ＥＬシミュレーション部２０２ｅは、保守点検管理情報データベース２０６ｆに格納された点検情報に従って点検が行われた場合の運用状況をシミュレーションする。そして、保守員は、当該シミュレーション結果を参照することで、運行プログラム生成部２０２ｄに生成された運行プログラムが、点検日に適切な運行が可能か否かを判断できる。適切と判定された場合には、運行プログラム更新部２０２ｆが、エレベータ制御装置３００に対して、点検日に当該運行プログラムに更新する。これにより点検日に昇降機の運行効率を向上させることができる。
【０１１９】
以上で、第１の実施形態におけるＢＩＭシステムの処理の一例の説明を終える。
【０１２０】
このように、本実施形態によれば、建物の運用状況に応じて、柔軟に運行プログラムを更新することで、昇降機の運行効率を向上させることができる。また、本実施形態によれば、運行プログラムを実行した場合のシミュレーションを行うことで、保守管理者は当該運行プログラムが実行された場合の運行状況を把握した上で、運行プログラムを更新できるため、さらなる運行効率の向上を実現できる。
【０１２１】
本実施形態においては、建物の改修等にともなって、動線計画を変更する際、変更された動線計画の運用状況に合わせて、運行プログラムを更新できる。これにより、昇降機を変更せずとも、動線計画に合わせた昇降機の運行が可能となる。
【０１２２】
本実施形態では、エレベータ２に運行プログラムを適用した例について説明したが、昇降機を運行する運行プログラムであればよい。
【０１２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２４】
１００  端末装置
１０２  制御部
１０２ａ  作成条件送信部
１０２ｂ  統合モデリング部
１０２ｃ  昇降機管理ツール
１０２ｃａ  ＩＤ認証部
１０２ｃｂ  表示制御部
１０２ｃｃ  設定受付部（受付手段）
１０２ｃｄ  情報通信部
１０４  通信制御インターフェース部
１０６  記憶部
１０６ａ  ＢＩＭモデルデータベース（ＢＩＭモデル記憶手段）
１０６ｂ  気象データベース
１０６ｃ  建物管理データベース
１０６ｄ  在館人員データベース（在館人数記憶手段）
１０６ｅ  イベントスケジュール管理データベース
１０６ｆ  セキュリティデータベース
１０８  入出力制御インターフェース部
１１４  出力部
１１６  入力部
１５０  建物
１５１  建物センサー
１５２  人員センサー
２００  中央制御サーバ装置
２０２  制御部
２０２ａ  作成条件受信部
２０２ｂ  昇降機モデリング部
２０２ｃ  情報通信部（出力手段）
２０２ｄ  運行プログラム生成部（生成手段）
２０２ｅ  仮想ＥＬシミュレーション部（シミュレーション手段）
２０２ｆ  運行プログラム更新部（更新手段）
２０４  第１の通信制御インターフェース部
２０６  記憶部
２０６ａ  パーツ情報データベース（パーツ情報記憶手段）
２０６ｂ  ＥＬ運行情報データベース（運行情報記憶手段）
２０６ｃ  ユーザ定義パラメータ記憶部
２０６ｄ  運行プログラム管理部（プログラム記憶手段）
２０６ｅ  イベントスケジュール管理部
２０６ｆ  保守点検管理情報データベース
２０６ｇ  更新時間管理データベース（更新時間記憶手段）
２０８  第２の通信制御インターフェース部
３００  エレベータ制御装置
３０１  運行センサー
３０２  運行プログラム記憶部
３０３  運転制御部
３５０  ネットワーク
【図１】
2017215692.tif 000003
【図２】
2017215692.tif 000004
【図３】
2017215692.tif 000005
【図４】
2017215692.tif 000006
【図５】
2017215692.tif 000007
【図６】
2017215692.tif 000008
【図７】
2017215692.tif 000009
【図８】
2017215692.tif 000010
【図９】
2017215692.tif 000011
【図１０】
2017215692.tif 000012